(57)【要約】      （修正有）【課題】ライトワンス機能を備え、改ざんの問題が発生することがない垂直磁気記録媒体を提供する。【解決手段】磁気ディスク基板４０上に、軟磁性裏打ち層４１、中間層４２、記録層４３、及び保護層４４がこの順に積層された垂直磁気記録媒体４において、軟磁性裏打ち層４１と中間層４２との間に磁性材料からなるアシスト層４５を設け、アシスト層４５の垂直方向の磁化の向きを予め同じ方向に統一すると共に、アシスト層４５の保持力を記録層４３の保持力より大きくした垂直磁気記録媒体である。アシスト層４５の磁化の向きと同じ向きの磁場が印加されてデータの書き込みが行われた時のみ、記録層４３にそのデータが記録される。【選択図】図４
2009283073.tif 000002
【特許請求の範囲】
【請求項１】
磁気ディスク基板上に、軟磁性裏打ち層、中間層、記録層、及び保護層がこの順に積層された垂直磁気記録媒体において、
前記軟磁性裏打ち層と中間層との間に磁性材料からなるアシスト層を設け、
前記アシスト層の垂直方向の磁化の向きを予め同じ方向に統一したことを特徴とする垂直磁気記録媒体。
【請求項２】
請求項１に記載の垂直磁気記録媒体であって、
前記記録層に、前記アシスト層の磁化の向きとは逆向きの磁化の向きを予め与えたことを特徴とする垂直磁気記録媒体。
【請求項３】
請求項１または２に記載の垂直磁気記録媒体であって、
前記アシスト層を構成する磁性材料の保持力を、前記記録層を構成する磁性材料の保持力よりも大きくしたことを特徴とする垂直磁気記録媒体。
【請求項４】
請求項１から３の何れか１項に記載の垂直磁気記録媒体であって、
前記アシスト層の磁性材料が、遷移金属と希土類金属の合金膜であることを特徴とする垂直磁気記録媒体。
【請求項５】
請求項１から４の何れか１項に記載の垂直磁気記録媒体と、
前記垂直磁気記録媒体の回転機構と、
前記垂直磁気記録媒体にデータを読み書きするヘッドを備えたデータ読み書き機構と、
前記ヘッドを前記垂直磁気記録媒体上の所定の位置に位置決めするヘッドのアクセス機構とを少なくとも備えることを特徴とする記憶装置。
【発明の詳細な説明】
【技術分野】
【０００１】
本発明は垂直磁気記録媒体及びこれを用いた記憶装置に関し、特に、ハードディスク装置に用いることができる垂直磁気記録媒体であって、ライトワンス機能が付与され、高密度で強力なセキュリティ機能を持つ垂直磁気記録媒体、及びこの垂直磁気記録媒体を用いた記憶装置に関する。
【背景技術】
【０００２】
従来、データを記録するための書き換え可能なディスク装置としては、ハードディスク装置（ＨＤＤ）、デジタル多用途ディスク（ＤＶＤ）装置、及び光磁気（ＭＯ）ディスク装置等がある。また近年、高品位デジタル多用途ディスク（ＨＤ−ＤＶＤ）装置やブルーレイディスク（ＢＤ）装置等の光ディスク装置も実用化されている。
【０００３】
光ディスク装置に使用される光ディスクでは、可搬性とともに、ＤＶＤのように一度記録すると書き換えができない機能（ライトワンス機能と呼ばれる）を備えた記録媒体によって、改ざんを困難としたり、ＭＯディスクのように、レーザ光の熱が照射された場合のみに記録が出来るなど、セキュリティ性を高めている。しかしながら光ディスク装置は、ハードディスク装置に比べて容量が非常に小さい点が問題となっている。
【０００４】
これに対して、ハードディスク装置では、記録磁化がディスク面内のトラックに平行な方向に記録される面内記録方式から、更に大容量の記録が可能な、記録磁化をディスク面に対して垂直方向に向かせて記録する垂直磁気記録方式に移行しつつある。そして、このような垂直磁気記録方式の磁気ディスクを用いた記憶装置が製品化されつつある。垂直磁気記録方式の磁気ディスクについては、例えば、特許文献１に詳細に開示されている。この垂直磁気記録方式では、グラニュラー型の磁性膜を用いた垂直磁気記録方式を採用することにより、ＤＶＤや光磁気ディスクに比べ遥かに大容量の磁気ディスクを実現可能としている。
【０００５】
【特許文献１】特開２００７−１８４０６６号公報
【発明の開示】
【発明が解決しようとする課題】
【０００６】
しかしながら、ハードディスク装置では、記録媒体が上書き可能な構成となっているために、記録したデ−タが誤って消去され易く、また、デ−タの書き換えが容易に行えるためにデータが改ざんされる虞がある等の問題が発生している。
【０００７】
そこで、本出願は、記録容量が大きく、且つ一度書き込まれたデ−タは、後から記録しようとするデータ通りには書き換えることができず、改ざんの問題が発生する虞がない垂直磁気記録媒体、及びこの垂直磁気記録媒体を使用する記憶装置を提供することを目的としている。
【課題を解決するための手段】
【０００８】
前記目的を達成する垂直磁気記録媒体は、磁気ディスク基板上に、軟磁性裏打ち層、中間層、記録層、及び保護層がこの順に積層された垂直磁気記録媒体において、軟磁性裏打ち層と中間層との間に磁性材料からなるアシスト層を設け、アシスト層の垂直方向の磁化の向きを予め同じ方向に統一したことを特徴とする垂直磁気記録媒体である。この垂直磁気記録媒体において、記録層にアシスト層の磁化の向きとは逆向きの磁化の向きを予め与えても良い。
【０００９】
また、前記目的を達成する記憶装置は、磁気ディスク基板上に、軟磁性裏打ち層、アシスト層、中間層、記録層、及び保護層がこの順に積層され、アシスト層の垂直方向の磁化の向きが予め同じ方向に統一された垂直磁気記録媒体と、垂直磁気記録媒体の回転機構と、垂直磁気記録媒体にデータを読み書きするヘッドを備えたデータ読み書き機構と、ヘッドを垂直磁気記録媒体上の所定の位置に位置決めするヘッドのアクセス機構とを少なくとも備えることを特徴とする記憶装置である。
【発明の効果】
【００１０】
垂直磁気記録媒体をこのように構成することにより、ハードディスク装置用の垂直磁気記録媒体を用いて高密度記録が実現できるとともに、磁気ヘッドからの記録磁場が片方向の磁場の場合のみに記録可能なライトワンス機能が実現できるので、高いセキュリティ−が可能である。
【発明を実施するための最良の形態】
【００１１】
以下、添付図面を用いて垂直磁気記録媒体、及び垂直記録媒体を用いた記憶装置の実施の形態を具体的な実施例に基づいて詳細に説明する。
【００１２】
図１（ａ）は記憶媒体として垂直磁気記録ディスク４（以後単にディスクということもある）を使用する記憶装置である、ロード／アンロード方式のハードディスク装置１の一例の構成を示すものである。また、図１（ｂ）は図１（ａ）に示されるハードディスク装置１にあるヘッドスライダ１５の位置を示すものである。垂直磁気記録ディスク４は複数枚設けられることもあり、ハードディスク装置１のベース２の上の一方の側に設けられたスピンドルモータ３によって回転する。このディスク４にはデータ記録用の多数のトラックがある。
【００１３】
ハードディスク装置１のベース２の上の他方の側には、ディスク４のトラックにアクセスしてデータの読み書きを行うヘッドを備えるヘッドスライダ（図１（ｂ）参照）が取り付けられたスイングアーム５がある。ヘッドスライダはスイングアーム５の先端部に取り付けられている。スイングアーム５は回転軸６を中心にしてスイングするように構成されており、回転軸６に対してスイングアーム５と反対側には、スイングアーム５を駆動するボイスコイルモータ７がある。
【００１４】
また、ロード／アンロード方式のハードディスク装置１では、アンロード時にはヘッドをディスク４の外側に退避させる。このため、ロード／アンロード方式のハードディスク装置１には、ディスク４の外周部近傍のベース２の上に、スイングアーム５の先端部を保持するランプ機構１０がある。ランプ機構１０には、スイングアーム５の先端部に設けられたリフトタブ９を保持するためのランプ１１がある。ランプ機構１０はディスク４の外側に設けられるが、ランプ１１はその一部が磁気ディスク４とオーバラップしている。
【００１５】
ヘッドスライダ１５が設けられたスイングアーム５の先端部には、スイングアーム５をランプ１１に保持させるためのリフトタブ９がある。ランプ１１のスイングアーム側の面は、スイングアーム５の回転軌跡Ｔに合わせて、円周面となっている。このため、スイングアーム５のリフトタブ９は、スイングアーム５の回転によってランプ１１の上に乗り上げ、ディスク４の外部で保持される。ランプ機構１０の本体１２は、ネジ８によってベース２に固定される。
【００１６】
図２（ａ）は垂直磁気記録ディスク４とこれにデータを記録するヘッドＨが設けられたヘッドスライダ１５の構成を説明するものである。なお、ここにはディスク４の構成部材として軟磁性裏打ち層４１と記録層４３のみしか示していない。ディスク４に情報を読み書きするヘッド（再生ヘッドと記録ヘッド）Ｈは、ヘッドスライダ１５の本体１５Ｂに対して空気の流出端にある支持体１５Ｓに設けられている。
【００１７】
支持体１５Ｓに設けられたヘッドＨは、再生ヘッド１３と記録ヘッド１９の２つのヘッドから構成されている。再生ヘッド１３は２つのシールド層２３，２４に挟まれた再生素子２５を備えている。再生素子２５には最初は磁気抵抗効果素子（ＭＲヘッド）が使用されていたが、現在は再生感度と記録密度が更に大きい巨大磁気抵抗効果素子（ＧＭＲヘッド）が使用されている。一方、記録ヘッド１９は記録用コイル２６、ヨーク２７、及び記録磁極２８から構成されている。この図に示す太線Ｍが、記録時の磁束の流れを示している。
【００１８】
図２（ｂ）は、図２（ａ）に示した垂直磁気記録ディスク４の従来の構成を示すものである。垂直磁気記録ディスク４は、ガラス基板やアルミ基板などのディスク基板４０の上に、軟磁性裏打ち層４１、中間層４２、記録層４３及び保護層４４がこの順に積層されて構成される。実際には保護層４４の表面に潤滑層があるが、この図では省略してある。軟磁性裏打ち層４１は、ＦｅＣｏＺｒＡｌから構成され、その厚さは５０ｎｍ程度である。中間層４２はＲｕから構成され、その厚さは３０ｎｍ程度である。記録層４３は、ＣｏＣｒＰｔＢ，或いはＣｏＣｒＰｔ−ＳｉＯ２で構成され、その厚さは２０ｎｍ程度である。そして、保護層４４は厚さ３ｎｍ程度のダイヤモンド・ライク・カーボン（ＤＬＣ）で構成される。
【００１９】
ここで、本出願の実施の形態を説明する前に、図２（ｂ）に示した従来の垂直磁気記録ディスク４の記録層４３の磁化について図３（ａ）〜（ｃ）を用いて説明する。まず、図３（ａ）は、ディスクの記録層４３がヘッドＨからの１回目の磁場（データ）によって磁化される様子を示している。１回目のデータが時間の経過と共にその磁場の向きが上向き、下向きに変化すると、この磁場の上向き、下向きの状態がそのまま記録層４３に記録されて記録層４３が磁化される。すなわち、記録層４３の磁化状態はデータに従う。ここで、磁場の向き、或いは磁化の向きが上向きであるとは、磁場／磁化の向きがディスク４の表面側に向かう向きのことであり、下向きはこの逆方向を言う。
【００２０】
次に、図３（ｂ）は、ディスクの記録層４３の磁化状態がヘッドＨからの２回目の磁場（データ）によって書き換えられる様子を示している。２回目のデータが時間の経過と共にその磁場の向きが上向き、下向きに変化すると、この磁場の上向き、下向きの状態がそのまま記録層４３に記録されて記録層４３が磁化される。すなわち、記録層４３の磁化状態はデータに従って書き換えられる（上書きされる）。
【００２１】
更に、図３（ｃ）は、ディスクの記録層４３の磁化状態がヘッドＨからの３回目の磁場（データ）によって上書きされる様子を示している。３回目のデータが時間の経過と共にその磁場の向きが上向き、下向きに変化すると、この磁場の上向き、下向きの状態は第２回目同様にそのまま記録層４３に記録されて記録層４３が磁化される。すなわち、記録層４３の磁化状態は後からのデータに従って上書きされる。このように、従来の垂直磁気記録ディスク４は、その記録層４３が何度でもヘッドＨからのデータによって上書き可能であった。このため、一度記録したデータが後から改ざんされる虞があった。
【００２２】
この出願は、図２（ｂ）に示すように構成された従来の垂直磁気記録ディスク４におけるデータの改ざんを防止するためになされたものである。図４（ａ）にこの出願の垂直磁気記録ディスク４Ａの一実施例の構成を示す。なお、図２（ｂ）で説明した従来の垂直磁気記録ディスク４と同じ構成部材については、同じ符号を付して説明する。
【００２３】
この実施例の垂直磁気記録ディスク４Ａは、ガラス基板やアルミ基板などのディスク基板４０の上に軟磁性裏打ち層４１を設け、この上に新たな磁性層を設けたものである。この新たな磁性層をここではアシスト層４５と呼ぶ。このアシスト層４５の上には従来同様に中間層４２、記録層４３及び保護層４４がこの順に積層されている。ここでも潤滑層の図示は省略してある。軟磁性裏打ち層４１、中間層４２、記録層４３、保護層４４の構成は従来と同様である。
【００２４】
軟磁性裏打ち層４１と中間層４２の間に新たに設けたアシスト層４５は、記録層４３に記録されたデータが改ざんされないようにするためのものである。即ち、アシスト層４５の機能は、記録層４３へのデータの記録時に、ある特定方向の磁場（データ）のみをアシストして記録層に記録させるものである。このため、アシスト層４５の磁性材料の飽和磁化Ｍｓを、記録層４３の磁性材料の飽和磁化よりも大きい構成とした。このため、ヘッドからの磁場がアシスト層４５の磁化方向と反対の場合は、ヘッドからの磁場が記録層に記録されない。そして、アシスト層４５の磁性材料を、Ｆｅ、Ｃｏなどに代表される遷移金属と、Ｐｔ，Ｐｄに代表される白金属の合金膜か、Ｓｍ、Ｔｂ、Ｇｄなどに代表される希土類金属との合金膜とした。
【００２５】
すなわち、アシスト層４５は、記録層４３を構成する磁性材料の保持力よりも保持力の大きい磁性材料（例えばＴｂＦｅＣｏ、ＤｙＦｅＣｏ，ＧｄＦｅＣｏ）で構成し、予め上向き、或いは下向きに磁化しておく。アシスト層４５の厚さは、記録層４３と同程度の厚さ２０ｎｍ程度で良い。
【００２６】
ここで、アシスト層４５のアシスト動作について図４（ｂ）を用いて説明する。垂直磁気記録ディスク４Ａは、アシスト層４５が上向きの磁場で強く磁化されており、記録層４３がアシスト層４５よりも弱い下向きの磁場で磁化されているものとする。この状態の垂直磁気記録ディスク４Ａに対して、磁場の向きが下向き、上向きと交互に変化する磁場がヘッドから印加されたとする。
【００２７】
時刻Ｔ１までの期間では、ヘッドから下向きの磁場が印加されるが、アシスト層４３からの強い上向きの磁場により、この磁場は記録層４３の磁化に影響を与えない。よって、記録層４３の磁化方向は下向きのまま保持される。次の時刻Ｔ１から時刻Ｔ２の期間では、ヘッドから上向きの磁場が印加されるが、アシスト層４３からの強い上向きの磁場のアシストにより、この磁場は記録層４３を磁化し、記録層４３の磁化方向は上向きに変わる。以後の時刻Ｔ２から時刻Ｔ６についても同様であり、アシスト層４３の磁場の向きと、ヘッドからの磁場の向きが異なる場合は記録層４３の磁化の向きは変化せず、ヘッドからの磁場の向きが同じ場合は記録層４３の磁化の向きが変化する。よって、記録層４３はヘッドからの磁場の向きと同じ向きに磁化が行われる。これがライトワンス記録である。
【００２８】
図５は、図４（ａ）に示した構成の垂直磁気記録ディスク４Ａの記録層４３をＣｏＣｒＰｔ−ＳｉＯ２で構成して所定の保持力（Ｈｃ＝４．９ｋＯｅ）を持たせた時に、アシスト層４５の層構造及び保持力を変更してライトワンス記録が可能かどうかを調査した実験結果を示すテーブルである。このテーブルから分かるように、アシスト層４５の磁性材料の保持力を記録層４３の磁性材料の保持力よりも弱くした場合は、ライトワンス記録が不可能であった。
【００２９】
次に、図６を用いて、垂直磁気記録ディスク４Ａのアシスト層４５には上向きの強い磁化を与え、記録層４３にはアシスト層４５よりも弱い下向きの磁化を与える方法の一例について説明する。図６（ａ）は、図４（ａ）に示した垂直磁気記録ディスク４Ａにおける記録層４３とアシスト層４５の温度に対する保持力Ｈｃの変化を示すものである。記録層４３の保持力Ｈｃは、所定温度までは略一定であり、この所定温度より高温の領域では次第に低下する。一方、図５に示したような磁性材料で構成したアシスト層４５の保持力は、室温を超えた温度当たりで急激に上昇し、その後更に温度が上がると、磁化状態が反転した状態で保持力が低下し、記録層４３の保持力が変化する所定温度当たりで保持力が略ゼロになる。
【００３０】
そこで、この実施例では、記録層４３の保持力が変化する所定温度当たりの高温の温度を初期化温度と定め、この初期化温度において垂直磁気記録ディスク４Ａに初期化のための外部磁場を記録層４３とアシスト層４５に印加する。この状態を図６（ｂ）に示す。初期化温度で外部磁場を垂直磁気記録ディスク４Ａに印加すると、例えばこの実施例では、記録層４３が下向きに大きな保持力で磁化されるが、アシスト層４５は記録層４３と同じ方向に小さな保持力で磁化される。
【００３１】
記録層４３とアシスト層４５の磁化が終了すると、外部磁場を除去して冷却することによって温度を下げ、周囲温度を室温にする。すると、図６（ｃ）に示すように、記録層４３は磁化の向きに変更は無く、かつ保持力も殆ど変わらないが、アシスト層４５では磁化の向きが反転すると共に、大きな保持力で磁化される。以上のようにして記録層４３とアシスト層４５が磁化された垂直磁気記録ディスク４Ａにデータを記録する場合の、記録層４３の磁化の変化を図７（ａ）〜（ｄ）を用いて説明する。
【００３２】
図７（ａ）は、図６（ｂ）、（ｃ）に示した方法で磁化された垂直磁気記録ディスク４Ａにおける記録層４３、中間層４２とアシスト層４５を示すものである。垂直磁気記録ディスク４Ａにデータが記録されていない状態では、この実施例では記録層４３が下向きに磁化されており、アシスト層４５が記録層４３よりも強い保持力で上向きに磁化されている。
【００３３】
図７（ｂ）は、図７（ａ）に示すようにアシスト層４５とは逆向きに磁化された無記録の記録層４３を備えた垂直磁気記録ディスク４Ａに、図示しないヘッドから第１回目の記録磁場（データ）が印加された時の記録層４３の磁化状態を示すものである。１回目のデータが時間の経過と共にその磁場の向きが上向き、下向きに変化する場合を説明する。時刻ｔ１から時刻ｔ２では、印加された磁場の向きとアシスト層４５の磁化の向きが同じであるので、アシスト層４５のアシストで、印加された磁場により記録層４３が上向きに磁化される。
【００３４】
一方、時刻ｔ２から時刻ｔ４では、印加された磁場の向きとアシスト層４５の磁化の向きが反対であり、アシスト層４５からの磁場の方が印加された磁場より強いので、記録層４３は印加された磁場によっては磁化されず、磁化の方向は下向きのままである。以後、時刻ｔ４〜ｔ６と時刻ｔ７〜ｔ８では、印加された磁場の向きとアシスト層４５の磁化の向きが同じであるので記録層４３が上向きに磁化される。また、時刻ｔ６〜ｔ７と時刻ｔ８以降では、印加された磁場の向きとアシスト層４５の磁化の向きが反対であるので、記録層４３は元の磁化の状態を保持する。
【００３５】
このように、図７（ａ）に示すように構成された垂直磁気記録ディスク４Ａでは、ヘッドから印加された磁場の向きがアシスト層４５の磁化の向きと一致した時だけ、記録層４３がアシスト層４５の磁化の向きと同じ向きに磁化される。この結果、第１回目のデータが印加された時の記録層４３の磁化状態は、ヘッドからの磁場の上向き、下向きの状態がそのまま記録層４３に記録されて記録層４３が磁化されることになり、記録層４３の磁化状態はデータに従う。
【００３６】
次に図７（ｃ）は、図７（ｂ）に示すように磁化された垂直磁気記録ディスク４Ａに、ヘッドから第１回目とは異なる第２回目の記録磁場が印加された時の、記録層の磁化状態を示すものである。第２回目の記録磁場が印加された時も、ヘッドから印加された磁場の向きがアシスト層４５の磁化の向きと一致した時だけ、記録層４３がアシスト層４５の磁化の向きと同じ向きに磁化される。
【００３７】
従って、時刻ｔ１〜ｔ２、時刻ｔ３〜ｔ５と時刻ｔ６〜ｔ７では、印加された磁場の向きとアシスト層４５の磁化の向きが同じであるので、下向きに磁化されていた記録層４３は上向きに磁化され、上向きに磁化されていた記録層４３はそのままの状態を保持する。また、時刻ｔ２〜ｔ３と時刻ｔ５〜ｔ６、及び時刻ｔ７以降では、印加された磁場の向きとアシスト層４５の磁化の向きが反対であるので、記録層４３は元の磁化の状態を保持する。即ち、下向きに磁化されていた記録層４３は下向きのまま、上向きに磁化されていた記録層４３は上向きのままの状態を保持する。
【００３８】
この結果、第１回目の記録磁場の印加によって上向きに磁化されていた記録層４３は、第２回目の記録磁場が下向きであっても、下向きには磁化されない。よって、図７（ｃ）に網点を付して示す時刻ｔ５〜ｔ６及び時刻ｔ７〜ｔ８の期間において、記録層４３の磁化方向が第２回目の記録磁場の方向（データ）と不一致となる。このため、第１回目の記録磁場によって記録層４３に書き込まれたデータを、第２回目の記録磁場によって不正に書き換えようとしても、書き換えられたデータが書き込もうとするデータと一致しないので、データの不正な改ざんを防止することができる。
【００３９】
更に、図７（ｄ）は図７（ｃ）に示すように磁化された垂直磁気記録ディスク４Ａにヘッドから第２回目とは異なる第３回目の記録磁場が印加された時の記録層４３の磁化状態を示すものである。第３回目の記録磁場が印加された時も、ヘッドから印加された磁場の向きがアシスト層４５の磁化の向きと一致した時だけ、記録層４３がアシスト層４５の磁化の向きと同じ向きに磁化される。
【００４０】
従って、時刻ｔ３〜ｔ４と時刻ｔ７〜ｔ８では、印加された磁場の向きとアシスト層４５の磁化の向きが同じであるので、上向きに磁化されていた記録層４３はそのままの状態を保持する。また、時刻ｔ３迄と時刻ｔ４〜ｔ７、及び時刻ｔ８以降では、印加された磁場の向きとアシスト層４５の磁化の向きが反対であるので、記録層４３は元の磁化の状態を保持する。即ち、下向きに磁化されていた記録層４３は下向きのまま、上向きに磁化されていた記録層４３は上向きのままの状態を保持する。
【００４１】
この結果、第１回目及び第２回目の記録磁場の印加によって上向きに磁化されていた記録層４３は、第３回目の記録磁場が下向きであっても、下向きには磁化されない。よって、図７（ｄ）に網点を付して示す時刻ｔ１〜ｔ２及び時刻ｔ４〜ｔ７の期間において、記録層４３の磁化方向が第３回目の記録磁場の方向（データ）と不一致となる。このため、以前に書き込まれたデータを、第３回目の記録磁場によって不正に書き換えようとしても、書き換えられたデータが書き込もうとするデータと一致しないので、データの不正な改ざんを防止することができる。
【００４２】
このように、一旦上向きに磁化された記録層の磁化の向きは以後変更されることがないので、データの書き込みが続くと、記録層４３の磁化の向きは全て上向きになる。なお、この実施例で説明した図７（ａ）に示す構成とは逆に、記録層４３が上向きに磁化されており、アシスト層４５が記録層４３よりも強い保持力で下向きに磁化されている構成の垂直磁気記録ディスク４Ａでも良い。
【００４３】
また、以上説明した実施例では、記録層４３がＣｏＣｒＰｔ−ＳｉＯ２で構成された１層構成のものを説明したが、記録層４３は、ＣｏＣｒＰｔＢ（厚さ６ｎｍ程度）から構成されたキャッピング層と、Ｃｏ６８Ｃｒ１１Ｐｔ２１−８ＳｉＯ２（厚さ１５ｎｍ程度）から構成された記録層とから構成することも可能である。
【００４４】
以上のように、本願によれば、改ざんができないライトワンス機能をハードディスクのような垂直磁気記録ディスクで実現することができ、高密度なライトワンスの垂直磁気記録ディスク、及びこのディスクを使用した記憶装置を提供することができる。また、ライトワンス機能の実現により、従来のハードディスク装置よりも高いセキュリティを実現することができる。
【００４５】
以上、本発明を特にその好ましい実施の形態を参照して詳細に説明した。本発明の容易な理解のために、本発明の具体的な形態を以下に付記する。
【００４６】
（付記１）  磁気ディスク基板上に、軟磁性裏打ち層、中間層、記録層、及び保護層がこの順に積層された垂直磁気記録媒体において、
前記軟磁性裏打ち層と中間層との間に磁性材料からなるアシスト層を設け、
前記アシスト層の垂直方向の磁化の向きを予め同じ方向に統一したことを特徴とする垂直磁気記録媒体。
（付記２）  付記１に記載の垂直磁気記録媒体であって、
前記記録層に、前記アシスト層の磁化の向きとは逆向きの磁化の向きを予め与えたことを特徴とする垂直磁気記録媒体。
（付記３）  付記１又は２に記載の垂直磁気記録媒体であって、
前記アシスト層を構成する磁性材料の保持力を、前記記録層を構成する磁性材料の保持力よりも大きくしたことを特徴とする垂直磁気記録媒体。
（付記４）  付記１から３の何れかに記載の垂直磁気記録媒体であって、
前記アシスト層の磁性材料が、遷移金属と希土類金属の合金膜であることを特徴とする垂直磁気記録媒体。
（付記５）  付記４に記載の垂直磁気記録媒体であって、
前記遷移金属が鉄とコバルトであり、前記希土類金属がテルビウム、ジスプロシウム、ガドリウムの何れかであることを特徴とする垂直磁気記録媒体。
【００４７】
（付記６）  付記１から５の何れかに記載の垂直磁気記録媒体であって、
前記アシスト層の磁化の向きが、前記軟磁性裏打ち層から前記中間層に向かう方向であることを特徴とする垂直磁気記録媒体。
（付記７）  付記１から５の何れかに記載の垂直磁気記録媒体であって、
前記アシスト層の磁化の向きが、前記中間層から前記軟磁性裏打ち層に向かう方向であることを特徴とする垂直磁気記録媒体。
（付記８）  付記１から７の何れかに記載の垂直磁気記録媒体であって、
前記アシスト層の磁化は、前記垂直磁気記録媒体を加熱して媒体温度を上げた状態で、外部から磁場を与え、その後前記磁場を除去した状態で媒体を冷却し、媒体温度を室温まで下げることによって行うことを特徴とする垂直磁気記録媒体。
（付記９）  付記１から８の何れかに記載の垂直磁気記録媒体であって、
前記記録層を２層構成としたことを特徴とする垂直磁気記録媒体。
（付記１０）付記１から９の何れかに記載の垂直磁気記録媒体と、
前記垂直磁気記録媒体の回転機構と、
前記垂直磁気記録媒体にデータを読み書きするヘッドを備えたデータ読み書き機構と、
前記ヘッドを前記垂直磁気記録媒体上の所定の位置に位置決めするヘッドのアクセス機構とを少なくとも備えることを特徴とする記憶装置。
【図面の簡単な説明】
【００４８】
【図１】（ａ）は垂直磁気記録ディスクを使用する記憶装置であるハードディスク装置の一例の構成を示す斜視図、（ｂ）は（ａ）に示されるハードディスク装置にあるヘッドスライダの位置を示す部分拡大平面図である。
【図２】（ａ）は垂直磁気記録ディスクとこれにデータを記録するヘッドの構成を説明する部分拡大断面図、（ｂ）は従来の垂直磁気記録ディスクの構造を示す部分拡大断面図である。
【図３】（ａ）は図２（ａ）に示したヘッドから１回目のデータが垂直磁気記録ディスクに書き込まれる場合の記録層の磁化状態を示す説明図、（ｂ）は図２（ａ）に示したヘッドから２回目のデータが垂直磁気記録ディスクに書き込まれる場合の記録層の磁化状態を示す説明図、（ｃ）は図２（ａ）に示したヘッドから３回目のデータが垂直磁気記録ディスクに書き込まれる場合の記録層の磁化状態を示す説明図である。
【図４】（ａ）は本出願の一実施例の垂直磁気記録ディスクの構成を示す部分拡大断面図、（ｂ）は（ａ）の垂直磁気記録ディスクに外部からデータ記録用の磁場が印加された時のアシスト層の効果を説明する説明図である。
【図５】図４（ａ）に示した構成の垂直磁気記録ディスクの記録層をＣｏＣｒＰｔ−ＳｉＯ２で構成して所定の保持力を持たせた時に、アシスト層の層構造及び保持力を変更してライトワンス記録が可能かどうかを調査した実験結果を示すテーブル図である。
【図６】（ａ）は図４（ａ）に示した垂直磁気記録ディスクにおける記録層とアシスト層の温度に対する保持力の変化を示す特性図、（ｂ）は（ａ）に示した特性図の初期化温度において垂直磁気記録ディスクに外部磁場を印加した時の記録層とアシスト層の磁化の様子を示す説明図、（ｃ）は（ｂ）の状態の垂直磁気記録ディスクの温度を（ａ）に示した室温まで冷却して外部磁場を除去した時の記録層とアシスト層の磁化の様子を示す説明図である。
【図７】（ａ）は図６（ｂ）、（ｃ）に示した方法で磁化された垂直磁気記録ディスクにおける記録層、中間層とアシスト層を示す部分拡大断面図、（ｂ）は（ａ）に示すようにアシスト層とは逆向きに磁化された無記録の記録層を備えた垂直磁気記録ディスクにヘッドから第１回目の記録磁場が印加された時の記録層の磁化状態を示す説明図、（ｃ）は（ｂ）に示すように磁化された垂直磁気記録ディスクにヘッドから第１回目とは異なる第２回目の記録磁場が印加された時の記録層の磁化状態を示す説明図、（ｄ）は（ｃ）に示すように磁化された垂直磁気記録ディスクにヘッドから第２回目とは異なる第３回目の記録磁場が印加された時の記録層の磁化状態を示す説明図である。
【符号の説明】
【００４９】
１５    ヘッドスライダ
４０    ディスク基板
４１    軟磁性裏打ち層
４２    中間層
４３    保護層
４５    アシスト層
【図１】
2009283073.tif 000003
【図２】
2009283073.tif 000004
【図３】
2009283073.tif 000005
【図４】
2009283073.tif 000006
【図５】
2009283073.tif 000007
【図６】
2009283073.tif 000008
【図７】
2009283073.tif 000009